(57)【要約】【課題】成績判断テストの成績に応じた、生徒のレベルにあった解説で解答を行うことができる学習支援システム及び方法を提供する。【解決手段】問題自動回答システム２０は、生徒側端末１０を所有する生徒の登録を行った後、成績判断診断テストをインターネット１００を介して生徒側端末１０に送信し、生徒側端末１０から返信された成績判断診断テストの結果から生徒の成績を判断し、生徒から参考書問題の質問があった場合、成績判断診断テストの成績に応じた問題の解答・解説を生徒側端末１０に送信する。また、問題自動回答システム２０は、問題の解答・解説を送信した生徒と同じ教科で同じ成績を有する生徒の生徒側端末にも同じ内容の問題の解答・解説を送信する。【選択図】図４
2005173015.tif 000002
【特許請求の範囲】
【請求項１】
生徒側端末と学習支援装置がネットワークを介して学習情報を送受信する学習支援システムであって、
前記学習支援装置は、前記生徒側端末から生徒情報を受信して生徒情報データベースに登録を行う手段と、
成績判断テストを前記生徒側端末に送信する手段と、
前記生徒側端末から返信された前記成績判断テストの結果を成績判断データベースにて検索して成績を判断し、その成績を生徒成績データベースに格納する手段と、
前記生徒側端末から問題の質問を受信して、前記成績判断テストの成績に応じた問題の解答・解説を解答問題データベースから検索して前記生徒側端末に送信する手段とを備えることを特徴とする学習支援システム。
【請求項２】
参考書業者側端末をさらに備え、
前記学習支援装置は、前記参考書業者側端末からネットワークを介して参考書問題の解答・解説を受信して前記解答問題データベースに格納する手段を有することを特徴とする請求項１記載の学習支援システム。
【請求項３】
前記成績判断データベースが、複数の生徒の前記成績判断テストの成績を格納され、
前記学習支援装置は、前記問題の解答・解説を送信した生徒と同じ成績を有する他の生徒にも同じ内容の問題の解答・解説を送信することを特徴とする請求項１又は２記載の学習支援システム。
【請求項４】
生徒側端末と学習支援装置がネットワークを介して学習情報を送受信する学習支援方法であって、
前記学習支援装置にて前記生徒側端末から生徒情報を受信して生徒情報データベースに登録を行うステップと、
成績判断テストを前記生徒側端末に送信するステップと、
前記生徒側端末から返信された前記成績判断テストの結果を成績判断データベースにて検索して成績を判断し、その成績を生徒成績データベースに格納するステップと、
前記生徒側端末から問題の質問を受信して、前記成績判断テストの成績に応じた問題の解答・解説を解答問題データベースから検索して前記生徒側端末に送信するステップとを含むことを特徴とする学習支援方法。
【請求項５】
前記学習支援装置が、参考書業者側端末からネットワークを介して参考書問題の解答・解説を受信して前記解答問題データベースに格納するステップをさらに含むことを特徴とする請求項４記載の学習支援方法。
【請求項６】
前記成績判断データベースが、複数の生徒の前記成績判断テストの成績を格納され、
前記学習支援装置は、前記問題の解答・解説を送信した生徒と同じ成績を有する他の生徒にも同じ内容の問題の解答・解説を送信するステップをさらに含むことを特徴とする請求項４又は５記載の学習支援方法。
【請求項７】
生徒側端末とネットワークを介して学習情報を送受信する学習支援装置の制御プログラムであって、
前記生徒側端末から生徒情報を受信して生徒情報データベースに登録を行う機能と、
成績判断テストを前記生徒側端末に送信する機能と、
前記生徒側端末から返信された前記成績判断テストの結果を成績判断データベースにて検索して成績を判断し、その成績を生徒成績データベースに格納する機能と、
前記生徒側端末から問題の質問を受信して、前記成績判断テストの成績に応じた問題の解答・解説を解答問題データベースから検索して前記生徒側端末に送信する機能とをコンピュータに実現させるための学習支援プログラム。
【発明の詳細な説明】
【技術分野】
【０００１】
本発明は、学習者に参考書の問題を自動回答する学習支援システムに関する。
【背景技術】
【０００２】
従来、生徒が受験勉強等を行う際、例えば家庭教師に習ったり、塾に通ったりすることで、高い月謝や会員費をかけて学習するケースが多い。また、時間や金銭等の事情により、家庭教師を雇ったり塾に通ったりすることができない生徒もいる。そのような場合は、参考書を購入し独学で勉強している状況である。
【０００３】
一方、生徒の学習を促進するシステムに関する従来技術としては、ネットワークを介して学習者と教材提供者を結び、学習者が在宅学習しながら、必要な情報を入手して学習を促進させることができる学習システムが開示されている（例えば、特許文献１参照）。
【０００４】
また、生徒に対する試験のシステムに関する従来技術としては、コンピュータ上で受験者に適したテストセットを提示し、能力推定の方法を提案するとともに、試験終了後の結果を即時的に取得できるようにしたコンピュータ適応型検定試験システムが開示されている（例えば、特許文献２参照）。
【特許文献１】特開2000-284679号公報
【特許文献２】特開2002-6734号公報
【発明の開示】
【発明が解決しようとする課題】
【０００５】
しかしながら、参考書を用いた独学での勉強は、参考書に解答集はあっても、解答集は単に問題の解説に過ぎず、自分のレベルにあった解説ではなく、また、解答集は簡潔に書かれているので、解答集を読んでも分からない問題が多々ある。また、独学での勉強は、家庭教師に習ったり塾に通ったりする場合と比較し、自分が理解できるように詳しく解説してくれる教師が間近にいないので、問題を的確に理解することができない。
【０００６】
そこで本発明は、成績判断テストの成績に応じた、生徒のレベルにあった解説で解答を行うことができる学習支援システム及び方法並びにそのプログラムを提供することを目的とする。
【課題を解決するための手段】
【０００７】
上述の課題を解決するため、本発明は、生徒側端末と学習支援装置がネットワークを介して学習情報を送受信する学習支援システムであって、前記学習支援装置は、前記生徒側端末から生徒情報を受信して生徒情報データベースに登録を行う手段と、成績判断テストを前記生徒側端末に送信する手段と、前記生徒側端末から返信された前記成績判断テストの結果を成績判断データベースにて検索して成績を判断し、その成績を生徒成績データベースに格納する手段と、前記生徒側端末から問題の質問を受信して、前記成績判断テストの成績に応じた問題の解答・解説を解答問題データベースから検索して前記生徒側端末に送信する手段とを備えることを特徴とする。
【０００８】
あるいは、生徒側端末と学習支援装置がネットワークを介して学習情報を送受信する学習支援方法であって、前記学習支援装置にて前記生徒側端末から生徒情報を受信して生徒情報データベースに登録を行うステップと、成績判断テストを前記生徒側端末に送信するステップと、前記生徒側端末から返信された前記成績判断テストの結果を成績判断データベースにて検索して成績を判断し、その成績を生徒成績データベースに格納するステップと、前記生徒側端末から問題の質問を受信して、前記成績判断テストの成績に応じた問題の解答・解説を解答問題データベースから検索して前記生徒側端末に送信するステップとを含むことを特徴とする。
【０００９】
以上の構成によって、成績判断テストの成績に応じた、生徒のレベルにあった解説で解答を行うことが可能となる。
【発明の効果】
【００１０】
本発明によれば、次のような効果がある。
（１）生徒は、学習支援装置からネットワークを介して送信された成績判断テストを受験し、解答を学習支援装置に送信すると、学習支援装置は生徒の成績をデータベースに格納し、生徒が参考書記載の問題やそれに対する解答や解説が分からない問題を学習支援装置に質問すると、学習支援装置は生徒の成績判断テストの成績に応じた問題の解答・解説を送信することにより、成績判断テストの成績に応じた、生徒のレベルにあった解説で解答を説明してくれるので、誰でも問題を解くことができる。
（２）また、生徒は参考書の問題で分からない問題があった場合、ネットワークを介して学習支援装置に分からない問題だけを質問することができるので、家庭教師に習ったり塾に通ったりすることとそれに要する費用が不要となる。
（３）また、生徒はネットワークを介して学習支援装置と通信することができるので、家庭教師に習ったり塾に通ったりする場合のように決まった時間での学習ではなく、好きな時間に好きな分だけ質問することができる。
（４）また、学習支援装置は各参考書業者から参考書問題の解答・解説を受信してデータベースに格納しているので、生徒がどの参考書を購入しても問題の解答や解説に対応できる。
（５）また、複数の生徒を登録しておくことにより、問題の解答・解説を送信した生徒と同じ成績を有する生徒にも、学習の参考に同じ内容の問題の解答・解説を送信するので、参考書が手元になくても気軽に学習でき、受験勉強の対策を練ることができる。
【発明を実施するための最良の形態】
【００１１】
次に、本発明の最良の形態について図面を参照して説明する。
【実施例】
【００１２】
図１は、本発明のシステム構成を示す。なお、以下の説明では、ネットワークはインターネットとするが、イントラネットでも良い。複数の生徒側端末１０、問題自動回答システム（学習支援装置）２０、複数の参考書業者側端末３０が、それぞれインターネット１００を介して接続されている。
【００１３】
生徒側端末１０は、問題自動回答システム２０に対して生徒情報の登録及び問題の解答や解説を依頼するユーザ（生徒）が使用するパーソナルコンピュータなどの、不図示の制御部、記憶部、操作部、表示部等を備えた情報処理装置であり、複数の生徒の自宅に各々設置されており、記憶部に格納されたプログラムに従い図５のフローチャートの生徒側端末の処理を実行する。
【００１４】
また、生徒側端末１０は、インターネット１００を介して、問題自動回答システム２０にアクセスし、生徒情報を登録した後、問題自動回答システム２０からログイン情報（ログインＩＤ、パスワード）を受信し、問題自動回答システム２０にログインすることができる。
【００１５】
また、生徒側端末１０は、ログイン後、問題自動回答システム２０から成績判断診断テストを受信し、成績判断診断テストの結果を問題自動回答システム２０に回答する機能と、参考書問題に対する質問を問題自動回答システム２０に送信する機能と、質問に対する解答と解説を問題自動システム２０から受信する機能を有する。
【００１６】
参考書業者側端末３０は、問題自動回答システム２０に対して参考書問題の解答と解説を登録するユーザ（参考書業者）が使用するパーソナルコンピュータなどの、不図示の制御部、記憶部、操作部、表示部等を備えた情報処理装置であり、複数の参考書業者の事業所に各々設置されており、記憶部に格納されたプログラムに従い図３のフローチャートの参考書業者側端末の処理を実行する。
【００１７】
また、参考書業者側端末３０は、インターネット１００を介して、問題自動回答システム２０に問題の解答と解説等の情報を送信する機能を有する。
【００１８】
問題自動回答システム２０は、成績判断診断テストを生徒側端末１０に送信する機能、生徒側端末１０からの質問に対する解答と解説を生徒側端末１０に送信する機能、参考書業者側端末３０からの参考書問題の解答と解説等の情報を受信する機能などを有し、図２に示すように、処理装置２０１、生徒情報データベース（以後ＤＢ）２０２、解答問題ＤＢ２０３、生徒成績ＤＢ２０４、成績判断ＤＢ２０５から構成されている。
【００１９】
処理装置２０１は、記憶部に格納されたプログラムに従い図３，４のフローチャートの問題自動回答システム側の処理を実行するサーバ等の情報処理装置であり、インターネット１００を介して複数の参考書業者側端末３０から送信された問題の解答と解説情報を受信し、解答問題ＤＢ２０３に格納する。
【００２０】
また、処理装置２０１は、生徒側端末１０から送信された生徒情報を受信した後、ログインＩＤ及びパスワードのログイン情報と、生徒を識別する生徒ＮＯを自動採番した情報と、成績判断診断テストを生徒側端末１０に送信する機能と、生徒情報を生徒情報ＤＢ２０２に格納する機能も有する。
【００２１】
また、処理装置２０１は、生徒側端末１０で入力され送信されたログインＩＤ及びパスワードと、生徒情報ＤＢ２０２に格納されているログインＩＤ及びパスワードとを照合し、照合結果を基に、ログインＩＤ及びパスワードを送信してきた生徒側端末１０を所有する生徒が、問題自動回答システム２０に登録された生徒であるか否かを確認し、確認結果を基に、ログインを許可する。
【００２２】
また、処理装置２０１は、生徒側端末１０から送信された成績判断診断テストを採点し、成績判断ＤＢ２０５に基づき成績を判断し、生徒成績ＤＢ２０４に格納する。
【００２３】
また、処理装置２０１は、生徒側端末１０から送信された問題解答解説依頼書を受信し、生徒側端末１０を所有する生徒の成績と問題解答解説依頼書から、解答問題ＤＢ２０３を照合し、一致した解答と解説を抽出し、抽出した情報を基に問題解答解説書を作成し、生徒側端末１０に送信する。
【００２４】
また、処理装置２０１は、問題解答解説依頼書を送信してきた生徒側端末１０を所有する生徒と同じ教科で同じ成績の生徒を生徒情報ＤＢ２０２と生徒成績ＤＢ２０４から抽出し、一致した生徒が所有する生徒側端末１０にも問題解答解説書を送信する。
【００２５】
生徒情報ＤＢ２０２は、図５に示すように、問題自動回答システム２０に登録済の複数の生徒のログインＮＯ、パスワード、生徒ＮＯ、Ｅメールアドレス、氏名、年齢、性別、郵便番号、住所、電話番号、生年月日を格納している。
【００２６】
解答問題ＤＢ２０３は、図６に示すように、参考書メーカー、参考書の書籍名、問題ＮＯ、教科、生徒の成績、問題、解答、解説を格納している。本実施例では、問題自動回答システム２０が生徒から質問を受付可能な参考書は、図６の参考書メーカーで出版している全ての参考書に対応している。
【００２７】
生徒成績ＤＢ２０４は、図７に示すように、問題自動回答システム２０に登録済の複数の生徒の生徒ＮＯ、各教科の成績を格納している。
【００２８】
成績判断ＤＢ２０５は、図８に示すように、問題自動回答システム２０に登録済の生徒が取得した点数の区分に応じた成績を格納している。
【００２９】
次に、図３，４のフローチャートを参照して、本実施例の動作を説明する。
【００３０】
複数の参考書業者側端末３０は、参考書の解答、解説等の情報をインターネット１００を介して問題自動回答システム２０に送信する（ステップＳ１）。
【００３１】
問題自動回答システム２０の処理装置２０１は、複数の参考書業者側端末３０から送信された参考書の解答、解説等の情報を解答問題ＤＢ２０３（図６）に図示の形式で格納する（ステップＳ２）。
【００３２】
複数の生徒の中でＮＥＣ花子という名前の生徒は、インターネット１００を介して問題自動回答システム２０に生徒登録を行う際に、生徒側端末１０により生徒情報を送信する（ステップＳ１１）。
【００３３】
問題自動回答システム２０の処理装置２０１は、ＮＥＣ花子の生徒側端末１０から送信された生徒情報を、生徒情報ＤＢ２０２（図５）に図示の形式でデータを格納すると共に（ステップＳ１２）、ログインＩＤとパスワード及び生徒ＮＯを自動採番し、インターネット１００を介してＮＥＣ花子のメールアドレス（１２３）に送信し（ステップＳ１３）、生徒情報ＤＢ２０２に採番したログインＩＤ、パスワード、生徒ＮＯを格納する。
【００３４】
生徒（ＮＥＣ花子）は、問題自動回答システム２０から送信されたログインＩＤとパスワードを基に、生徒側端末１０から問題自動回答システム２０にログインする。
【００３５】
問題自動回答システム２０の処理装置２０１は、ＮＥＣ花子の生徒側端末１０から送信されたログインＩＤとパスワードが生徒情報ＤＢ２０２に格納されているログインＩＤとパスワードと一致しているか否かを照合し（ステップＳ１４）、一致していたならばログインを許可する。ログインを許可した後、問題自動回答システム２０の処理装置２０１は、インターネット１００を介してＮＥＣ花子のメールアドレス（１２３）に、生徒の成績判断のために成績判断診断テスト（図９）の情報を送信する（ステップＳ１５）。
【００３６】
成績判断診断テストの情報は、図９に示すように、表題欄に成績判断診断テストを受ける生徒の生徒ＮＯ、氏名、メールアドレスが記載され、表題欄の後に生徒へのメッセージと各教科の問題が記載された情報であり、ＮＥＣ花子の生徒側端末１０の表示部に表示される。
【００３７】
生徒側端末１０は、問題自動回答システム２０から送信された成績判断診断テストを受信した後、生徒（ＮＥＣ花子）が成績判断診断テストの問題に対する解答を入力し、インターネット１００を介して問題自動回答システム２０に送信する（ステップＳ１６）。
【００３８】
問題自動回答システム２０の処理装置２０１は、ＮＥＣ花子の生徒側端末１０から送信された成績判断診断テストを採点し、成績判断ＤＢ２０５（図８）を検索して生徒（ＮＥＣ花子）の成績を判断し（ステップＳ１７）、成績を生徒成績ＤＢ２０４（図７）に図示の形式で格納する（ステップＳ１８）。
【００３９】
生徒側端末１０は、生徒（ＮＥＣ花子）が質問したい参考書の問題を問題解答解説依頼書（図１０）に入力したことに伴い、インターネット１００を介して問題自動回答システム２０に送信する（ステップＳ１９）。
【００４０】
問題解答解説依頼書の情報は、図１０に示すように、表題欄に依頼者である生徒の生徒ＮＯ、氏名、メールアドレスが記載され、表題欄の後に教科、参考書メーカー、参考書名、問題ＮＯ、問題、問題自動回答システム２０へのメッセージが記載された情報であり、送信元の生徒側端末１０の表示部に表示される。
【００４１】
問題自動回答システム２０の処理装置２０１は、ＮＥＣ花子の生徒側端末１０から送信された問題解答解説依頼書の内容の「参考書メーカー」「参考書名」「教科」「問題ＮＯ」を、解答問題ＤＢ２０３（図６）を検索して解答問題ＤＢ２０３内の「メーカー」「書籍名」「教科」「問題ＮＯ」と比較し、一致した解答と解説（１業者Ａ、２業者Ａ、３業者Ａ）を解答問題ＤＢ２０３から抽出する（ステップＳ２０）。
【００４２】
また、問題自動回答システム２０の処理装置２０１は、生徒成績ＤＢ２０４（図７）から生徒（ＮＥＣ花子）の英語の成績（英語：３）を生徒ＮＯ（００１）を基に抽出し、更に解答問題ＤＢ２０３（図６）に格納された成績と生徒（ＮＥＣ花子）の成績を照合し、一致した成績（３）の解答と解説（２業者Ａ）を抽出する。抽出後、問題自動回答システム２０の処理装置２０１は、問題解答解説書（図１１）を抽出したデータを基に作成し、インターネット１００を介してＮＥＣ花子のメールアドレス（１２３）へ送信する（ステップＳ２１）。
【００４３】
また、問題自動回答システム２０の処理装置２０１は、生徒（ＮＥＣ花子）の質問教科である「英語」が生徒（ＮＥＣ花子）と同一成績（３）の生徒（生徒ＮＯ：００２、かつこ）を、生徒成績ＤＢ２０４（図７）を検索して選択し（ステップＳ２２）、生徒（生徒ＮＯ：００２、かつこ）のメールアドレスを、生徒情報ＤＢ２０２（図５）を検索して抽出する（ステップＳ２３）。
【００４４】
再び、問題自動回答システム２０の処理装置２０１は、問題解答解説書（図１２）を生徒（生徒ＮＯ：００２、かつこ）用に作成し、インターネット１００を介してかつこのメールアドレス（４５６）にも送信する（ステップＳ２４）。
【００４５】
生徒（生徒ＮＯ：００１、ＮＥＣ花子）は、問題自動回答システム２０から送信された自分の能力にあった問題解答解説書を生徒側端末１０にて受信することにより、１人の力で問題を解くことができる。
【００４６】
また、生徒（生徒ＮＯ：００１、ＮＥＣ花子）と同じ教科で同じ成績の生徒（生徒ＮＯ：００２、かつこ）も、同じ成績の生徒が質問した問題解答解説書をその生徒側端末にて受信することにより、実際に問題が掲載された参考書が手元になくても、問題も問題解答解説書に記載されているので、色々な参考書の問題を解くことができ、参考書を幅広く購入する手間も省くことができる。また、自分と同じ成績の生徒がどのような問題を質問しているのか、どのような参考書を使っているのか、どのような勉強をしているのかが分かるので、受験勉強を行う際の対策とすることができる。
【図面の簡単な説明】
【００４７】
【図１】本発明のシステム構成図である。
【図２】問題自動回答システム（学習支援装置）の構成を示すブロック図である。
【図３】参考書業者側端末と問題自動回答システムとの処理の流れを示すフローチャートである。
【図４】生徒側端末と問題自動回答システムとの処理の流れを示すフローチャートである。
【図５】生徒情報ＤＢの内容の一例を示す図である。
【図６】解答問題ＤＢの内容の一例を示す図である。
【図７】生徒成績ＤＢの内容の一例を示す図である。
【図８】成績判断ＤＢの内容の一例を示す図である。
【図９】成績判断診断テストの内容の一例を示す図である。
【図１０】問題解答解説依頼書の内容の一例を示す図である。
【図１１】問題解答解説書の内容の一例を示す図である。
【図１２】問題解答解説書の内容の一例を示す図である。
【符号の説明】
【００４８】
１０  生徒側端末
２０  問題自動回答システム（学習支援装置）
３０  参考書業者側端末
１００  インターネット
２０１  処理装置
２０２  生徒情報ＤＢ
２０３  解答問題ＤＢ
２０４  生徒成績ＤＢ
２０５  成績判断ＤＢ
【図１】
2005173015.tif 000003
【図２】
2005173015.tif 000004
【図３】
2005173015.tif 000005
【図４】
2005173015.tif 000006
【図５】
2005173015.tif 000007
【図６】
2005173015.tif 000008
【図７】
2005173015.tif 000009
【図８】
2005173015.tif 000010
【図９】
2005173015.tif 000011
【図１０】
2005173015.tif 000012
【図１１】
2005173015.tif 000013
【図１２】
2005173015.tif 000014